(57)【要約】【課題】小型化、構成の簡素化、及び消費電流を低減する。【解決手段】センシング装置５００Ａのセンシング領域Ａには２ｍ本の第１制御線１０及び第２制御線１１、ｎ本の検出線１２、複数の画素回路４０が形成されている。第１Ｙドライバ１１０は、２ｍ本の第１制御線１０のうち同時に２本ずつ順次選択する。センシング領域Ａの上半分は第１センシング領域Ａ１であり、センシング領域Ａの下半分は第２センシング領域Ａ２である。第１Ｘドライバ２１０は第１センシング領域Ａ１の画素回路４０を駆動し、第２Ｘドライバ２２０は第２センシング領域Ａ２の画素回路４０を駆動する。【選択図】図１
2010250555.tif 000002
【特許請求の範囲】
【請求項１】
複数の制御線と複数の検出線と、前記複数の制御線と前記複数の検出線との各交差に対応して設けられた複数の単位回路とを備えたセンシング領域と、
前記複数の制御線のうち同時に２本ずつ順次選択する制御線ドライバと、
前記センシング領域の一辺に沿って設けられ、前記制御線ドライバによって選択された２本の制御線のうち一方の制御線に接続された単位回路からセンシング信号を読み出す第１ドライバと、
前記一辺と対向する他の辺に沿って設けられ、前記制御線ドライバによって選択された２本の制御線のうち他方の制御線に接続された単位回路からセンシング信号を読み出す第２ドライバとを、
備えたことを特徴とするセンシング装置。
【請求項２】
前記センシング領域において、前記第一辺からの距離と前記他の辺からの距離を比較した場合に、前記第一辺からの距離が前記他の辺からの距離より短い領域を第１センシング領域、前記第他の辺からの距離が前記一辺からの距離より短い領域を第２センシング領域としたとき、
前記第１ドライバは、前記第１センシング領域に配置される複数の単位回路を駆動し、
前記第２ドライバは、前記第２センシング領域に配置される複数の単位回路を駆動する
ことを特徴とする請求項１に記載のセンシング装置。
【請求項３】
前記複数の制御線と平行な方向を第１方向とし、前記第１方向に沿って配置された単位回路の並びをラインとしたとき、
前記第１ドライバは、奇数番目のラインの単位回路を駆動し、
前記第２ドライバは、偶数番目のラインの単位回路を駆動する、
ことを特徴とする請求項１に記載のセンシング装置。
【請求項４】
第１モードと第２モードとで動作可能であり、前記第１モードのセンシングの情報量は前記第２モードのセンシングの情報量と比較して大きいセンシング装置であって、
前記第１モードにおいて、前記第１ドライバ及び前記第２ドライバを動作させ、前記第２モードにおいて前記第１ドライバ及び前記第２ドライバのうち一方のみを動作させる制御回路を備える、
ことを特徴とする請求項１乃至３のうちいずれか１項に記載のセンシング装置。
【請求項５】
前記制御回路は、モードの変更を契機として、前記第２モードで動作させるドライバを切り替えることを特徴とする請求項４に記載のセンシング装置。
【請求項６】
前記制御回路は、前記第２モードにおいて所定の条件を充足することを契機として、前記第２モードで動作させるドライバを切り替えることを特徴とする請求項４に記載のセンシング装置。
【請求項７】
前記制御回路は、前記複数の単位回路、前記制御線ドライバ、前記第１ドライバ、及び前記第２ドライバに電力を供給の開始である電源の投入を契機として、前記第２モードで動作させるドライバを切り替えることを特徴とする請求項４に記載のセンシング装置。
【請求項８】
請求項１乃至７のうちいずれか１項に記載したセンシング装置を備える電子機器。
【発明の詳細な説明】
【技術分野】
【０００１】
本発明は、センシング装置及び電子機器に関する。
【背景技術】
【０００２】
液晶表示装置にセンシング機能を持たせ、画像を表示すると共に画像を撮像可能な装置が知られている。例えば、特許文献１には、表示エリアにセンサ付き画素をマトリクス状に配置し、表示エリアの一辺に沿って表示用データを出力する表示用ドライバを設け、当該一辺と対向する辺にセンシング用のデータを生成するセンシング用ドライバを設けている。
したがって、表示エリアの一辺に沿って設けられた１個のセンシング用ドライバを用いて複数の画素からのセンシング信号を取り出している。
【先行技術文献】
【特許文献】
【０００３】
【特許文献１】特開２００４−３１８８１９号（図１参照）
【発明の概要】
【発明が解決しようとする課題】
【０００４】
ところで、各々の画素に設けられたセンサから出力されるセンシングデータの大きさはセンシング期間が長いほど大きくなり、ＳＮ比が向上する。このセンシング期間は、１フレーム期間で走査する行数に応じて定まる。
しかしながら、従来の技術のように表示エリアの片側から１個のセンシング用ドライバを用いてセンシングデータを読み出す方法では、センシング期間は表示エリアの行数に応じて定まるので、行数の増加に伴いセンシングデータのＳＮ比が低下するといった問題があった。
また、センシング期間が短くなると、これに伴いセンシング用ドライバを駆動するためのクロック信号や制御信号が高速化するので、消費電力が増大するといった問題があった。
本発明は、上述した事情に鑑みてなされたものであり、センシング装置が高解像度化・高速化になったとしても、センシングデータのＳＮ比が十分に取れて、かつ消費電力が抑えられるセンシング装置などを提供することを特徴とする。
【課題を解決するための手段】
【０００５】
以上の課題を解決するために、本発明に係るセンシング装置は、複数の制御線と複数の検出線と、前記複数の制御線と前記複数の検出線との各交差に対応して設けられた複数の単位回路とを備えたセンシング領域と、前記複数の制御線のうち同時に２本ずつ順次選択する制御線ドライバ（例えば、実施形態の第１Ｙドライバ１１０又は第２Ｙドライバ１２０）と、前記センシング領域の一辺に沿って設けられ、前記制御線ドライバによって選択された２本の制御線のうち一方の制御線に接続された単位回路からセンシング信号を読み出す第１ドライバと、前記一辺と対向する他の辺に沿って設けられ、前記制御線ドライバによって選択された２本の制御線のうち他方の制御線に接続された単位回路からセンシング信号を読み出す第２ドライバとを備えたことを特徴とする。
【０００６】
この発明によれば、同時に２本の制御線を同時に選択して、第１ドライバと第２ドライバを用いて同時にセンシング信号を読み出す。従って、１個のドライバを用いる場合と比較して、制御線ドライバ、第１ドライバ及び第２ドライバの駆動周波数を半分にすることができる。これのよって、制御線ドライバ、第１ドライバ及び第２ドライバの消費電力を半分にすることが可能となる。また、不要輻射ノイズを大幅に低減することができる。くわえて、センシングの期間（例えば、露光期間）を長くとることができるので、センシング信号のＳＮ比を向上させることができる。なお、センシングの対象は光、電流、電圧、抵抗、容量、インダクタンスなどであってもよい。
【０００７】
上述したセンシング装置は、前記センシング領域において、前記第一辺からの距離と前記他の辺からの距離を比較した場合に、前記第一辺からの距離が前記他の辺からの距離より短い領域を第１センシング領域、前記第他の辺からの距離が前記一辺からの距離より短い領域を第２センシング領域としたとき、前記第１ドライバは、前記第１センシング領域に配置される複数の単位回路を駆動し、前記第２ドライバは、前記第２センシング領域に配置される複数の単位回路を駆動することが好ましい。この場合には、第１ドライバで駆動する単位回路は、第２ドライバよりも第１ドライバの近くにあるので、センシング信号に重畳するノイズを低減することができる。
【０００８】
上述したセンシング装置は、前記複数の制御線と平行な方向を第１方向とし、前記第１方向に沿って配置された単位回路の並びをラインとしたとき、前記第１ドライバは、奇数番目のラインの単位回路を駆動し、前記第２ドライバは、偶数番目のラインの単位回路を駆動することが好ましい。仮に第１ドライバと第２ドライバとで電気的な特性（例えば、ゲイン）が相違すると、センシング領域を２つに分割して駆動した場合、領域ごとにセンシング信号の大きさが異なって、それらの相違が目立つことになる。これに対して、奇数番目のラインと偶数番目のラインとで異なるドライバを用いると、センシング信号はライン間で相違があるが、センシング領域全体として見たとき相違が目立たなくなるといった利点がある。尤も特性の相違が目立たなくなるように補正を施すことが好ましい。
【０００９】
上述したセンシング装置において、第１モードと第２モードとで動作可能であり、前記第１モードのセンシングの情報量は前記第２モードのセンシングの情報量と比較して大きいセンシング装置であって、前記第１モードにおいて、前記第１ドライバ及び前記第２ドライバを動作させ、前記第２モードにおいて前記第１ドライバ及び前記第２ドライバのうち一方のみを動作させる制御回路を備えることが好ましい。第１モードは、例えば、変形例の通常モードが該当し、第２モードは、例えば、変形例の待機モードが該当する。
この発明によれば、第２モードでは、第１ドライバ及び第２ドライバの一方のみを動作させるので、消費電力を削減することができる。しかも第２モードはセンシング信号の情報量は少なくて足りるので、不都合はない。
【００１０】
ここで、前記制御回路は、モードの変更を契機として、前記第２モードで動作させるドライバを切り替えることが好ましい。また、前記制御回路は、前記第２モードにおいて所定の条件を充足することを契機として、前記第２モードで動作させるドライバを切り替えることが好ましい。このように第２モードの動作中にドライバの切り替えを行うので、第１ドライバと第２ドライバとでの経時劣化を分散させることができる。この場合、所定の条件は経時劣化を分散させるものであれば、どのような条件であってもよいが、装置全体の長寿命化の観点より、第１ドライバの経時劣化と第２ドライバの経時劣化とが等しくなるような条件であることが好ましい。これは、第１ドライバの使用時間と第２ドライバの使用時間が等しくなることを意味する。すなわち、所定の条件は、第１ドライバの使用時間と第２ドライバの使用時間が等しくなるように定めたれた条件であることが好ましい。例えば、第２モードにおいて現在のドライバを動作させてからの時間が所定時間に達したことを条件とすれば、第１ドライバの使用時間と第２ドライバの使用時間が等しくなる。
また、前記制御回路は、前記複数の単位回路、前記制御線ドライバ、前記第１ドライバ、及び前記第２ドライバに電力を供給の開始である電源の投入を契機として、前記第２モードで動作させるドライバを切り替えることが好ましい。
【００１１】
次に、本発明に係る電子機器は、上述したセンシング装置を備えることを特徴とし、例えば、指紋センサ、静脈センサ、及びスキャナが該当する。
【図面の簡単な説明】
【００１２】
【図１】本発明の第１実施形態に係るセンシング装置の構成を示すブロック図である。
【図２】第１実施形態の画素回路の構成を示す回路図である。
【図３】第１実施形態のラインとＸドライバの関係の一例を模式的に説明するための説明図である。
【図４】第１実施形態のラインとＸドライバの関係の他の例を模式的に説明するための説明図である。
【図５】本発明の第２実施形態に係るセンシング装置の構成を示すブロック図である。
【図６】第２実施形態のラインとＸドライバの関係の一例を模式的に説明するための説明図である。
【図７】変形例のセンシング装置の動作を示すフローチャートである。
【図８】変形例のセンシング装置の動作を示すフローチャートである。
【図９】変形例のセンシング装置の動作を示すフローチャートである。
【図１０】応用例に係る電子機器の具体的な形態を示す斜視図である。
【発明を実施するための形態】
【００１３】
以下、添付の図面を参照しながら本発明に係る実施の形態を説明する。図面においては、各部の寸法の比率は実際のものとは適宜に異ならせてある。また、本発明は、以下に述べる各実施形態に限定されるものではなく、各実施形態を変形して得られる各種の変形例や、各実施形態またはその変形例を応用して得られる形態をも技術的範囲に含みうる。なお、各図において共通する部分には同一の符号が付されている。
【００１４】
＜１．第1実施形態＞
図１は、本発明の第1実施形態に係るセンシング装置５００Ａの構成を示すブロック図である。本実施形態のセンシング装置５００Ａは、画像を撮像するものであって、例えば、指紋パターン及び静脈パターンを読み取り、入室管理やコンピュータへのログインなどのセキュリティ管理に用いられる。
【００１５】
センシング装置５００Ａは、第１Ｙドライバ１１０及び第２Ｙドライバ１２０、第１Ｘドライバ２１０及び第２Ｘドライバ２２０、これらの動作を制御する制御回路３００、並びにセンシング領域Ａを備える。センシング領域Ａは、上半分の第１センシング領域Ａ１と下半分の第２センシング領域Ａ２からなる。
第１センシング領域Ａ１及び第２センシング領域Ａ２の各々には、Ｘ方向と平行に２ｍ（ｍは２以上の自然数）本の第１制御線１０、及び２ｍ本の第２制御線１１が形成されている。また、Ｙ方向と平行にｎ（ｎは２以上の自然数）本の検出線１２が形成される。そして、第１制御線１０と検出線１２との交差に対応して、複数の画素回路４０（単位回路）が設けられている。
【００１６】
第１Ｙドライバ１１０は、２ｍ本の第１制御線１０にリセット信号ＧＲＳＴ１〜ＧＲＳＴ２ｍを順次供給する。第２Ｙドライバ１２０は、２ｍ本の第２制御線１１に選択信号ＧＳＥＬ１〜ＧＳＥＬ２ｍを供給する。第１Ｘドライバ２１０は第１センシング領域Ａ１に設けられたｎ本の検出線１２に出力されるセンシング信号Ｘ１ａ〜Ｘｎａをパラレル形式からシリアル形式に変換して、第１センシング信号Ｘａとして出力する。第２Ｘドライバ２２０は第２センシング領域Ａ２に設けられたｎ本の検出線１２に出力されるセンシング信号Ｘ１ｂ〜Ｘｎｂをパラレル形式からシリアル形式に変換して、第２センシング信号Ｘｂとして出力する。
第１Ｙドライバ１１０及び第２Ｙドライバ１２０は、制御回路３００から供給される開始パルスＳＰＹ１及びＳＰＹ２、並びにクロック信号ＹＣＫ１及びＹＣＫ２に従って動作する。クロック信号ＹＣＫ１及びＹＣＫ２の周波数は等しくこれをＦａとしたとき、第１Ｙドライバ１１０及び第２Ｙドライバ１２０の駆動周波数はＦａとなる。
また、第１Ｘドライバ２１０及び第２Ｘドライバ２２０は、制御回路３００から供給される開始パルスＳＰＸ１及びＳＰＸ２、並びにクロック信号ＸＣＫ１及びＸＣＫ２に従って動作する。クロック信号ＸＣＫ１及びＸＣＫ２の周波数は等しくこれをＦｂとしたとき、第１Ｘドライバ２１０及び第２Ｘドライバ２２０の駆動周波数はＦｂとなる。
【００１７】
図２に画素回路４０の回路図を示す。画素回路４０は、増幅トランジスタ４１、選択トランジスタ４２、リセットトランジスタ４３、及びフォトダイオード４４を備える。この画素回路４０の動作は、リセット期間、露光期間、及び出力期間に分かれる。リセット期間には、第１制御線１０を介してハイレベルのリセット信号ＧＲＳＴが供給される。すると、リセットトランジスタがオン状態となり、増幅トランジスタ４１のゲート電位がＶＤＤにリセットされる。このとき、選択信号ＧＳＥＬはローレベルを維持し、選択トランジスタ４２はオフ状態である。
【００１８】
露光期間では、リセットトランジスタ４３及び選択トランジスタ４２が共にオフ状態となる。フォトトランジスタ４４には入射光の照度に応じた電流が流れる。したがって、増幅トランジスタ４１のゲート電位は、入射光の照度に応じて変化する。
出力期間では、第２制御線１１を介してハイレベルの選択信号ＧＳＥＬが供給される。リセットトランジスタ４３がオフ状態となる一方、選択トランジスタ４２がオン状態となる。このとき、増幅トランジスタ４１のゲート電位に応じた電流が選択トランジスタ４２を介して検出線１２に流れる。これにより、画像を撮像することが可能となる。
【００１９】
図３にセンシング装置５００Ａの読み出しラインの概要を示す。上述したように第１センシング領域Ａ１にはｍ行（１ラインからｍラインまで）に亘って画素回路４０が配列されており、第２センシング領域Ａ２にもｍ行（ｍ＋１ラインから２ｍラインまで）に亘って画素回路４０が配列されている。そして、第１Ｘドライバ２１０は第１センシング領域Ａ１のｍ行のラインを駆動し、第２Ｘドライバ２２０は第２センシング領域Ａ２のｍ行のラインを駆動する。
【００２０】
この場合、第１Ｙドライバ１１０及び第２Ｙドライバ１２０は、ｍライン及びｍ＋１ライン、ｍ−１ライン及びｍ＋２ライン、…１ライン及び２ｍラインの順にラインを選択する。即ち、第１センシング領域Ａ１では下から上に向けてラインを選択する一方、第２センシング領域Ａ２では上から下に向けてラインを選択する。なお、図４に示すように第１センシング領域Ａ１及び第２センシング領域Ａ２の双方において、上から下に向けてラインを選択してもよい。例えば、出力期間では検出線１２を介してセンシング信号Ｘ１ａ〜Ｘｎａ及びセンシング信号Ｘ１ｂ〜Ｘｎｂが出力されるが、検出線１２は、第１センシング領域Ａ１と第２センシング領域Ａ２とで電気的に分離されているので、１本の検出線１２に、２種類のセンシング信号が同時に出力されることはない。
【００２１】
このように、本実施形態では、同時に２つのラインを選択した。このため、第１Ｘドライバ２１０と第２Ｘドライバ２２０とは、別々のラインの画素回路４０を同時に駆動して、リセット期間、露光期間及び出力期間の動作を行わせる。したがって、１個のＸドライバを用いて駆動する場合と比較して、第１Ｙドライバ１１０及び第２Ｙドライバ１２０の駆動周波数Ｆａ、並びに第１Ｘドライバ２１０及び第２Ｘドライバ２２０の駆動周波数Ｆｂを半分にすることができる。
【００２２】
回路の消費電力は駆動周波数に比例するので、１個のＸドライバを用いる場合と比較して、センシング装置５００Ａは、第１Ｙドライバ１１０、第２Ｙドライバ１２０、及び制御回路３００の消費電力を半分に低減することが可能となる。さらに、第１Ｙドライバ１１０及び第２Ｙドライバ１２０の駆動周波数Ｆａ並びに第１Ｘドライバ２１０及び第２Ｘドライバ２２０の駆動周波数Ｆｂを半分にできるので、不要輻射ノイズを大幅に低減することができる。
加えて、１個のＸドライバを用いる場合と比較して、センシング装置５００Ａは、露光期間を２倍にできるので、第１センシング信号Ｘａ及び第２センシング信号ＸｂのＳＮ比を高くすることができるといった効果を奏する。
【００２３】
＜２．第２実施形態＞
次に、本発明の第２実施形態について説明する。図５に第２実施形態に係るセンシング装置５００Ｂのブロック図を示す。第１実施形態のセンシング装置５００Ａは、図１に示すようにセンシング領域Ａを上半分の第１センシング領域Ａ１と下半分の第２センシング領域Ａ２に分割し、第１センシング領域Ａ１を駆動する第１Ｘドライバ２１０と第２センシング領域Ａ２を駆動する第２Ｘドライバ２２０とを備え、１列当たり１本の検出線１２を有する。
【００２４】
これに対して、第２実施形態のセンシング装置５００Ｂは、センシング領域Ａが分割されておらず、１列当たり２本の検出線１２ａ及び１２ｂを備える点、奇数ラインを第１Ｘドライバ２１０で駆動すると共に偶数ラインを第２Ｘドライバ２２０で駆動する点を除いて、第１実施形態のセンシング装置５００Ａと同様に構成されている。
【００２５】
図６にセンシング装置５００Ｂの読み出しラインの概要を示す。この例では、ｍを偶数としたとき、第１Ｙドライバ１１０及び第２Ｙドライバ１２０は、１ライン及び２ライン、３ライン及び４ライン、…ｍ−１ライン及びｍライン、ｍ＋１ライン及びｍ＋２ライン、…２ｍ−１ライン及び２ｍラインの順にラインを選択する。そして、図５に示すように奇数番目のラインの画素回路４０と第１Ｘドライバ２１０とが検出線１２ａを介して電気的に接続される一方、偶数番目のラインの画素回路４０と第２Ｘドライバ２２０とが検出線１２ｂを介して電気的に接続される。このように２本の検出線１２ａ及び１２ｂを用いるので、１本の検出線に、２種類のセンシング信号が同時に出力されることはない。
【００２６】
このように、第２実施形態では、第１実施形態と同様に同時に２つのラインを選択した。このため、第１Ｘドライバ２１０と第２Ｘドライバ２２０とは、別々のラインの画素回路４０を同時に駆動して、リセット期間、露光期間及び出力期間の動作を行わせる。したがって、１個のＸドライバを用いて駆動する場合と比較して、第１Ｙドライバ１１０及び第２Ｙドライバ１２０の駆動周波数Ｆａ、並びに第１Ｘドライバ２１０及び第２Ｘドライバ２２０の駆動周波数Ｆｂを半分にすることができる。
【００２７】
回路の消費電力は駆動周波数に比例するので、１個のＸドライバを用いる場合と比較して、センシング装置５００Ｂは、第１Ｙドライバ１１０、第２Ｙドライバ１２０、及び制御回路３００の消費電力を半分に低減することが可能となる。さらに、第１Ｙドライバ１１０及び第２Ｙドライバ１２０の駆動周波数Ｆａ並びに第１Ｘドライバ２１０及び第２Ｘドライバ２２０の駆動周波数Ｆｂを半分にできるので、不要輻射ノイズを大幅に低減することができる。
加えて、１個のＸドライバを用いる場合と比較して、センシング装置５００Ｂは、露光期間を２倍にできるので、第１センシング信号Ｘａ及び第２センシング信号ＸｂのＳＮ比を高くすることができるといった効果を奏する。
【００２８】
＜３．変形例＞
本発明は上述した第１実施形態及び第２実施形態に限定されるものではなく、例えば、以下の変形が可能である。
（１）上述した各実施形態では、常時、第１Ｘドライバ２１０及び第２ドライバ２２０を動作させたが、いわゆる待機モード（第２モード）を備えたセンシング装置においては、待機モードにおいて、第１Ｘドライバ２１０及び第２ドライバ２２０のうちいずれか一方のみを動作させてもよい。例えば、センシング装置を防犯用のカメラ、あるいは指紋センサや静脈センサとして用いる場合には、物体がセンシング装置に近づくまでは、１個のＸドライバを用いた待機モードでセンシング装置を動作させ、物体がセンシング装置に近づくと２個のＸドライバを用いて通常モードでセンシング装置を動作させてもよい。
この場合、待機モードでは消費電力をより削減することができ、通常モード（第１モード）では高解像度の画像を得ることができる。
【００２９】
（２）待機モードと通常モードで動作するセンシング装置は、モードの変更を契機として待機モードで動作させるＸドライバの種類を変更してもよい。図７はそのようなセンシング装置の動作を示すフローチャートである。
まず、電源スイッチがオン状態になると（ステップＳ１）、制御回路３００は、物体がセンシング装置の位置を基準としてある範囲内に近づいたか否かを判定する（ステップＳ２）。例えば、センシング装置を指紋センサに用いる場合、人の指がセンシング装置に近づくと、画面が暗くなることから、画面全体の平均輝度と基準輝度とを比較することによって、物体が近づいたことを検知することができる。
この判定条件が否定される場合、制御回路３００は、１個のＸドライバのみで駆動し（ステップＳ３）、Ｘドライバの種別、即ち、第１Ｘドライバ２１０であるか、あるいは第２Ｘドライバ２２０であるかをメモリに記憶する（ステップＳ４）。
【００３０】
一方、ステップＳ２の判定条件が肯定された場合、即ち、物体がセンシング装置の位置を基準としてある範囲内に近づいた場合には、制御回路３００は、両方のＸドライバで駆動を行う（ステップＳ５）。これにより、正確なセンシングを行うことができる。
次に、制御回路３００は、物体がセンシング装置の位置を基準としてある範囲外に遠のいたか否かを判定する（ステップＳ６）。判定条件が否定された場合には、ステップＳ５に戻る。一方、判定条件が肯定された場合、制御回路３００はＸドライバの種別をメモリから読み出し（ステップＳ７）、記憶されていない他方のＸドライバを動作対象に設定し（ステップＳ８）、処理をステップＳ３に進める。
このように本変形例に係るセンシング装置では、通常モードから待機モードへの変更を契機に待機モードで動作させるＸドライバを切り替えたので、一方のＸドライバが常に使用されることを防止して、センシング装置の寿命を延ばすことが可能できる。
【００３１】
（３）待機モードと通常モードで動作するセンシング装置は、待機モードにおいて所定の条件を充足することを契機として待機モードで動作させるＸドライバの種類を変更してもよい。図８はそのようなセンシング装置の動作を示すフローチャートである。
【００３２】
まず、電源スイッチがオン状態になると（ステップＳ１）、制御回路３００は、物体がセンシング装置の位置を基準としてある範囲内に近づいたか否かを判定する（ステップＳ２）。  この判定条件が否定される場合、制御回路３００は、一方のＸドライバのみで駆動する（ステップＳ１１）。この後、制御回路３００は、所定の条件を充足するか否かを判定する。所定の条件は、例えば、待機モードにおいて現在のＸドライバを動作させてからの時間が所定時間に達したことを条件としてもよい。
【００３３】
所定の条件を充足した場合には、待機モードにおいて駆動するＸドライバを一方から他方へ変更して、他方のＸドライバのみで駆動する（ステップＳ１３）。これによって、待機モードで使用するＸドライバを使用時間に応じて変更できるので、一方のＸドライバが常に使用されることを防止して、センシング装置の寿命を延ばすことが可能できる。
【００３４】
また、ステップＳ２の判定条件が肯定される場合には、制御回路３００は、両方のＸドライバで駆動を行う。これにより、解像度の高い画像を撮像することができる。次に、制御回路３００は、物体がセンシング装置の位置を基準としてある範囲外に遠のいたか否かを判定する（ステップＳ６）。判定条件が否定された場合には、ステップＳ５に戻る。一方、判定条件が肯定された場合、制御回路３００は処理をステップＳ１１に進める。
このように本変形例に係るセンシング装置では、待機モードでの動作時間に応じてＸドライバを切り替えたので、一方のＸドライバが常に使用されることを防止して、センシング装置の寿命を延ばすことが可能できる。
【００３５】
（４）待機モードと通常モードで動作するセンシング装置は、電源投入を契機として待機モードで動作させるＸドライバの種類を変更してもよい。図９はそのようなセンシング装置の動作を示すフローチャートである。
まず、電源スイッチがオン状態になると（ステップＳ１）、制御回路３００は、不揮発性メモリから前回の電源投入で使用したＸドライバの識別情報を不揮発性メモリから読み出す（ステップＳ２０）。また、電源スイッチがオン状態になると、センシング装置５００Ａ又はセンシング装置５００Ｂにおいて、複数の画素回路４０、制御回路３００、第１Ｘドライバ２１０、第２Ｘドライバ２２０、第１Ｙドライバ１１０、及び第２Ｙドライバ１２０に電力が供給され、電源が投入される。
【００３６】
次に、制御回路３００は、物体がセンシング装置の位置を基準としてある範囲内に近づいたか否かを判定する（ステップＳ２）。  この判定条件が否定される場合、制御回路３００は、ステップＳ２０で読み出した識別情報に基づいて、前回の駆動と異なる一方のＸドライバのみで駆動する（ステップＳ２１）。これによって、電源の投入を契機として待機モードで使用するＸドライバを変更できるので、一方のＸドライバが常に使用されることを防止して、センシング装置の寿命を延ばすことが可能できる。
【００３７】
一方、ステップＳ２の判定条件が肯定される場合には、制御回路３００は、両方のＸドライバで駆動を行う。これにより、解像度の高い画像を撮像することができる。次に、制御回路３００は、物体がセンシング装置の位置を基準としてある範囲外に遠のいたか否かを判定する（ステップＳ６）。判定条件が否定された場合には、ステップＳ５に戻る。一方、判定条件が肯定された場合、制御回路３００は処理をステップＳ２１に進める。
そして、電源スイッチがオフになると、電源を遮断する前に、不揮発性メモリに今回の待機モードで使用したＸドライバの種別を示す識別情報を記憶する。
【００３８】
＜４．応用例＞
次に、本発明に係るセンシング装置を適用した電子機器について説明する。
図１０は、上記実施形態に係るセンシング装置５００Ａ（５００Ｂ）を表示装置に適用したモバイル型のパーソナルコンピュータの構成を示す斜視図である。パーソナルコンピュータ２０００は、表示装置としての発光装置１と本体部２０１０とを備える。本体部２０１０には、電源スイッチ２００１およびキーボード２００２が設けられている。また、本体部２０１０には、センシング装置５００Ａ（５００Ｂ）が設けられている。このパーソナルコンピュータ２０００はセンシング装置５００Ａ（５００Ｂ）によって、利用者の指紋や静脈を読み取り、読み取った情報に基づいて利用者の認証を行う。よって、セキュリティを向上させることが可能となる。
本発明に係るセンシング装置が適用される機器としては、いわゆるＡＴＭ、携帯電話機、入出管理装置、スキャナなどが挙げられる。
【符号の説明】
【００３９】
５００Ａ,５００Ｂ……センシング装置、１０……第１制御線、１１……第２制御線、１２……検出線、４０……画素回路、１１０……第１Ｙドライバ、１２０……第２Ｙドライバ、２１０……第１Ｘドライバ、２２０……第２Ｘドライバ、３００……制御回路、Ａ……センシング領域、Ａ１……第１センシング領域、Ａ２……第２センシング領域。
【図１】
2010250555.tif 000003
【図２】
2010250555.tif 000004
【図３】
2010250555.tif 000005
【図４】
2010250555.tif 000006
【図５】
2010250555.tif 000007
【図６】
2010250555.tif 000008
【図７】
2010250555.tif 000009
【図８】
2010250555.tif 000010
【図９】
2010250555.tif 000011
【図１０】
2010250555.tif 000012